(57)【要約】【課題】使用可能な照射光源が狭く限定されることなく、ゴミ、傷等の影響が除去された画像を得る。【解決手段】第１光源５は、可視光を発し、第２光源６は、非可視光として赤外光を発し、第１光源５と第２光源６とは、フィルム原稿１の送り方向Ｆに沿って並んで配設される。ＣＣＤラインセンサ１０とＣＣＤラインセンサ１１とは、フィルム原稿１の送り方向Ｆに沿って並設状態となっているが、送り方向Ｆと上下方向とに若干の位置調整が可能である。フィルム原稿１を移動させながら、第１光源５及び第２光源６でフィルム原稿１を照射し、フィルム原稿１上の可視光画像及び赤外光画像をそれぞれＣＣＤラインセンサ１０、１１で読み取る。【選択図】　　図１
2004112185.tif 000002
【特許請求の範囲】
【請求項１】
可視光を照射する第１光源と、
非可視光を照射する第２光源と、
前記第１光源からの可視光が照射された原稿上の画像を読み取る第１センサと、
前記第２光源からの非可視光が照射された原稿上の画像を読み取る第２センサとを有し、
原稿上の画像と前記第１、第２センサとを相対移動させながら前記第１、第２光源により前記原稿を照射することで、前記原稿上の画像を前記第１センサ又は前記第２センサにより読み取るようにした画像読み取り装置であって、
前記第１光源と前記第２光源とは、前記相対移動の方向に沿って光学的に並設されたことを特徴とする画像読み取り装置。
【請求項２】
前記第１センサと前記第２センサとは、前記相対移動の方向に沿って光学的に並設されたことを特徴とする請求項１記載の画像読み取り装置。
【請求項３】
前記第１、第２光源と前記第１、第２センサとの間に、前記第１光源からの可視光を通過させる第１開口部と前記第２光源からの非可視光を通過させる第２開口部とを有する絞り手段が配設されたことを特徴とする請求項１又は２に記載の画像読み取り装置。
【請求項４】
前記第１光源からの可視光及び前記第２光源からの非可視光を前記第１センサ上及び前記第２センサ上にそれぞれ結像させるための光学系を有し、前記第１光源と前記第２光源とは、前記光学系の性能保証範囲内に配置されたことを特徴とする請求項１〜３のいずれか１項に記載の画像読み取り装置。
【請求項５】
前記第２光源から照射される非可視光は、赤外光であることを特徴とする請求項１〜４のいずれか１項に記載の画像読み取り装置。
【発明の詳細な説明】
【０００１】
【発明の属する技術の分野】
本発明は、原稿を照明してその画像を読み取る画像読み取り装置に関する。
【０００２】
【従来の技術】
従来、原稿に赤外光等の非可視光を照射し、それを読み取ることで、原稿上のゴミ、傷等を検出し、そのゴミ、傷の画像情報を用いて可視光照射による原稿画像の補正を行って、ゴミ、傷等の影響を除去した画像を得るようにした画像読み取り装置が知られている。
【０００３】
例えば、下記特許文献１の画像読み取り装置では、可視光と非可視光（赤外光）とで原稿の同一箇所を照射するように構成し、フィルタ等で可視光照射と非可視光照射とを切り替え、第１の走査にて非可視光照射による画像を読み取ると共に、第２の走査にて可視光照射による画像を読み取るようにしている。
【０００４】
また、下記特許文献２の画像読み取り装置では、可視光領域から非可視光領域までの発光特性を有する光源で原稿を照明し、画像読み取りセンサと原稿との間に配設したプリズムで、照射光を可視光と非可視光（赤外光）とに分離して、可視光と非可視光とをそれぞれ別々に設けられた専用の画像読み取りセンサで読み取るようにしている。
【０００５】
【特許文献１】
特開２０００−９２２７４号公報
【特許文献２】
特開２０００−３４１４７３号公報
【０００６】
【発明が解決しようとする課題】
しかしながら、上記特許文献１の画像読み取り装置では、非可視光照射による画像と可視光照射による画像をそれぞれ読み取るために、２回の走査が必要であり、１枚の画像読み取りに時間がかかるという問題がある。
【０００７】
この点、上記特許文献２の画像読み取り装置では、１回の走査で非可視光照射による画像と可視光照射による画像を同時に読み取れるという利点があるが、可視光領域から非可視光領域までの発光特性を有する光源を設ける必要があり、使用可能な照明光源が限定されるという問題があった。特に、近年の小型画像読み取り装置において用いられている冷陰極管には、赤外光領域の発光特性を有しないものも多く、このような光源はこのような装置には適用できない。
【０００８】
本発明は上記従来技術の問題を解決するためになされたものであり、その目的は、使用可能な照射光源が狭く限定されることなく、ゴミ、傷等の影響が除去された画像を得ることができる画像読み取り装置を提供することにある。
【０００９】
【課題を解決するための手段】
上記目的を達成するために本発明の請求項１の画像読み取り装置は、可視光を照射する第１光源と、非可視光を照射する第２光源と、前記第１光源からの可視光が照射された原稿上の画像を読み取る第１センサと、前記第２光源からの非可視光が照射された原稿上の画像を読み取る第２センサとを有し、原稿上の画像と前記第１、第２センサとを相対移動させながら前記第１、第２光源により前記原稿を照射することで、前記原稿上の画像を前記第１センサ又は前記第２センサにより読み取るようにした画像読み取り装置であって、前記第１光源と前記第２光源とは、前記相対移動の方向に沿って光学的に並設されたことを特徴とする。
【００１０】
【発明の実施の形態】
以下、本発明の実施の形態を図面を参照して説明する。
【００１１】
図１は、本発明の一実施の形態に係る画像読み取り装置の構成を示す平面図である。図２は、図１のＡ矢視図である。
【００１２】
現像済みのフィルム原稿１は、画像を有している。フィルム原稿１は、２組の駆動ローラ２及び従動ローラ３に挟持され、モータ４によって駆動ローラ２及び従動ローラ３が回転駆動されることで、フィルム原稿１が図１、図２の左右方向（送り方向Ｆ）に送られるようになっている。
【００１３】
第１光源５及び第２光源６はフィルム原稿１を照明可能なように配設される。第１光源５は、可視光を発する冷陰極管等のランプで構成され、赤外光領域の発光特性を有しない。第２光源６は、非可視光として赤外光を発する赤外発光ＬＥＤで構成される。第２光源６は、図２に示すように、フィルム原稿１の幅方向（フィルム原稿１の送り方向Ｆに対して直角な方向）に沿って複数配設される。また、フィルム原稿１と第２光源６との間には、拡散板７が配設され、拡散板７によって、第２光源６からの赤外光がフィルム原稿１の幅方向に均一に拡散し、フィルム原稿１に照射される。第１光源５と第２光源６とは、フィルム原稿１の送り方向Ｆに沿って並んで配設され、同じタイミングにおいては、それぞれフィルム原稿１の別の箇所を照射する。もちろん、光源を別の位置に配置し、鏡等で２つの照明光が並設されるように導くようにしてもよい。
【００１４】
絞り板８は、フィルム原稿１を挟んで第１光源５及び第２光源６の反対側において、フィルム原稿１に近接して設けられる。図１に示すように、絞り板８には、フィルム原稿１の幅方向に細長いスリット８ａ、８ｂが形成されている。スリット８ａは第１光源５に近接し、第１光源５から照射された可視光のみを通過させるような位置に形成される。スリット８ｂは第２光源６に近接し、第２光源６から照射された赤外光のみを通過させるような位置に形成される。
【００１５】
支持枠２０には、光学系として撮像レンズ９が配設されると共に、ＣＣＤラインセンサ１０、１１が配設される。ＣＣＤラインセンサ１０、１１は、可視光領域から赤外光領域までの受光特性を有している。
【００１６】
ＣＣＤラインセンサ１０は、保持板１２上に固着され、保持板１２は調整板１４にビス１３によって固定され、さらに調整板１４はビス１５によって支持枠２０に固定されている。ビス１３を緩めることによって、保持板１２を図１の左右方向に移動自在であり、ビス１５を緩めることによって、調整板１４を図１の上下方向に移動自在である。ＣＣＤラインセンサ１１も同様に、保持板１６上に固着され、保持板１６は調整板１８にビス１７によって固定され、さらに調整板１８はビス１９によって支持枠２０に固定されている。ビス１７を緩めることによって、保持板１６を図１の左右方向に移動自在であり、ビス１９を緩めることによって、調整板１８を図１の上下方向に移動自在である。
【００１７】
従って、ＣＣＤラインセンサ１０とＣＣＤラインセンサ１１とは、基本的には、フィルム原稿１の送り方向Ｆに沿って並設状態となっているが、ＣＣＤラインセンサ１０、１１はいずれも、図１の左右方向、すなわちフィルム原稿１の送り方向Ｆと、図１の上下方向とに若干の位置調整が可能となっており、適当な位置に固定することができる。この位置調整機構により、ＣＣＤラインセンサ１０、１１に投影され結像する画像の位置関係を所望の状態に設定でき、可視光及び赤外光による照射画像が、ピントの合った状態で両ＣＣＤラインセンサ１０、１１上に投影されるように調整することが可能である。もちろん、ＣＣＤラインセンサ１０、１１を別の位置に配置し、鏡等で照射画像光をＣＣＤラインセンサ１０、１１上に導くようにして、ＣＣＤラインセンサ１０、１１が光学的に並設されるようにしてもよい。
【００１８】
撮像レンズ９は、第１、第２光源５、６とＣＣＤラインセンサ１０、１１との間に配置され、支持枠２０に固定されている。撮像レンズ９は、第１光源５からの可視光照射によるフィルム原稿１上の画像（以下、「可視光画像」と称する）を、光軸２１を経てＣＣＤラインセンサ１０に結像させる。撮像レンズ９はまた、第２光源６からの赤外光照射によるフィルム原稿１上の画像（以下、「赤外光画像」と称する）を、光路２２を経てＣＣＤラインセンサ１１に結像させる。
【００１９】
図２に示すように、撮像レンズ９は、フィルム原稿１の幅方向において、フィルム原稿１上の画像１ａの幅Ｈよりも少し広い範囲について、可視光画像が所定の解像力でＣＣＤラインセンサ１０上に投影されるような性能を有するように構成される。撮像レンズ９は光軸２１回りに対称な形状であるため、図２に示す円状の範囲２３が、その性能保証範囲（イメージサークル）となる。従って、第１光源５と第２光源６とのフィルム原稿１の送り方向Ｆにおける距離Ｘは、第１光源５と第２光源６とが上記性能保証範囲内に入るように設定されている。これにより、撮像レンズ９の性能保証範囲を無用に広げるために撮像レンズ９を大型化する必要がなく、赤外光画像についても、所定の解像力でＣＣＤラインセンサ１１上に投影される。
【００２０】
図３は、本装置の画像処理機構の構成を示すブロック図である。ＣＣＤラインセンサ１０は、可視光画像用のＡ／Ｄ（アナログ・デジタルコンバータ）５１を介して画像処理回路５３に接続されている。ＣＣＤラインセンサ１１は、赤外光画像用のＡ／Ｄ５２を介して画像処理回路５３に接続されている。
【００２１】
Ａ／Ｄ５１、５２は、ＣＣＤラインセンサ１０、１１からそれぞれ入力されるアナログの光量分布を表す信号をデジタル信号に変換する。画像処理回路５３の機能は、不図示のＣＰＵ及び記憶装置等が果たす。画像処理回路５３は、Ａ／Ｄ５１、５２からそれぞれ入力される可視光画像のデジタル信号、赤外光画像のデジタル信号に基づいてゴミ、傷の除去処理を施し、ゴミ、傷が除去された画像信号を出力する。なお、これらの画像処理については、公知の手法によりなされるため、説明を省略する。
【００２２】
かかる構成において、画像読み取りは次のようにしてなされる。
【００２３】
図４は、本実施の形態における画像読み取り処理のフローチャートを示す図である。本処理は、不図示の開始指示手段の読み取り開始指示操作により開始され、上記不図示のＣＰＵによって実行される。
【００２４】
まず、第１光源５及び第２光源６の双方を点灯し（ステップＳ４０１）、１回の走査によるスキャン処理を行う（ステップＳ４０２）。すなわち、モータ４で駆動ローラ２を回転させ、フィルム原稿１を図１の右方へ移動させる。第１光源５からの可視光は、フィルム原稿１を透過し、スリット８ａを通過してＣＣＤラインセンサ１０に投影され、フィルム原稿１の画像が結像する。第２光源６からの赤外光は、フィルム原稿１を透過し、スリット８ｂを通過してＣＣＤラインセンサ１１に投影され、フィルム原稿１の画像が結像する。従って、フィルム原稿１を送りながらＣＣＤラインセンサ１０、１１の双方で画像の読み取りを行うことで、フィルム原稿１を１回送るだけで可視光画像及び赤外光画像の読み取りが行える。
【００２５】
可視光と赤外光は、それぞれ別々のスリット８ａ、８ｂを通過するので、光軸２１に相当する可視光画像の光路に赤外光画像が侵入することがなく、また、光路２２に可視光画像が侵入することがない。これにより、プリズムや、赤外光カット、可視光カット等のフィルタ部品等の高価な光学部品を用いることなく、ＣＣＤラインセンサ１０には可視光画像のみを、ＣＣＤラインセンサ１１には赤外光画像のみをそれぞれ投影することが可能となっている。
【００２６】
次に、第１光源５及び第２光源６の双方を消灯し（ステップＳ４０３）、読み取った画像について画像処理を行う（ステップＳ４０４）。すなわち、画像処理回路５３により、上記公知のゴミ、傷の除去処理等を行う。また、可視光画像と赤外光画像とでは、読み取り位置が異なるため、読み取り画像には一定量のずれが生じている。しかし、そのずれ量は、上述したＣＣＤラインセンサ１０、１１の位置調整により規定されるため、ずれ量は常に把握可能であり、例えば、不図示の記憶装置に記憶しておくことができる。そして、このずれ量の情報を元に、画像処理回路５３により位置補正処理を行うことで、両ＣＣＤラインセンサ１０、１１の読み取り画像の整合を図り、可視光画像から正確にゴミ、傷の除去を行うことができる。
【００２７】
次に、ゴミ、傷の除去後の画像を出力し（ステップＳ４０５）、本処理を終了する。
【００２８】
本実施の形態によれば、可視光照射用の第１光源５と赤外光照射用の第２光源６とを、フィルム原稿１の送り方向Ｆに沿って光学的に並設したので、可視光領域から非可視光領域までの発光特性を有する光源を用いなくても、ゴミ、傷の除去が可能である。よって、使用可能な照射光源が狭く限定されることなく、ゴミ、傷等の影響が除去された画像を得ることができる。
【００２９】
また、ＣＣＤラインセンサ１０、１１をフィルム原稿１の送り方向Ｆに沿って光学的に並設したので、１回の走査で可視光照射と非可視光照射による画像が得られ、走査時間が短縮されるだけでなく、可視光画像と赤外光画像との光路が別々であるので、プリズム等の分離手段を設けることなく、可視光照射と非可視光照射による画像をそれぞれＣＣＤラインセンサ１０、１１に投影できるので、構成が簡単であり、高価な光学部品も不要となり、低コストで小型化にも資する。
【００３０】
また、スリット８ａ、８ｂが形成された絞り板８を設けたことで、第１光源５からの可視光はＣＣＤラインセンサ１０のみに結像し、第２光源６からの赤外光はＣＣＤラインセンサ１１のみに結像するので、ノイズの少ない画像を得ることができる。
【００３１】
また、第１光源５及び第２光源６は、撮像レンズ９の性能保証範囲内に配置されたので、撮像レンズ９としては、可視光画像用に設計されたものを使用可能であり、設計変更して大型化することなく赤外光画像をも読み取り可能である。従って、光学系の大型化を抑制して装置を小型化することができる。
【００３２】
また、第２光源６から照射される非可視光として原稿上の画像を透過した際の強度の変化が小さい赤外光を採用したので、原稿上の画像によってＣＣＤラインセンサ１１への投影光の分布が左右されることが少なく、ゴミ、傷等を含んだ可視光画像においてゴミ、傷等の位置、大きさを正確に検出でき、適切な除去が容易となって良好な画像を得ることができる。
【００３３】
なお、本実施の形態において、ＣＣＤラインセンサ１０、１１を固定してフィルム原稿１を搬送移動するようにしたが、ＣＣＤラインセンサ１０、１１とフィルム原稿１とを相対的に移動させる機構であればよく、例示の構成に限定されない。その場合は、第１光源５及び第２光源６は上記相対移動方向に沿って光学的に並設すればよく、ＣＣＤラインセンサ１０、１１もそれに対応して上記相対移動方向に沿って光学的に並設すればよい。
【００３４】
【発明の効果】
以上説明したように、本発明によれば、使用可能な照射光源が狭く限定されることなく、ゴミ、傷等の影響が除去された画像を得ることができる。
【図面の簡単な説明】
【図１】本発明の一実施の形態に係る画像読み取り装置の構成を示す平面図である。
【図２】図１のＡ矢視図である。
【図３】本装置の画像処理機構の構成を示すブロック図である。
【図４】本実施の形態における画像読み取り処理のフローチャートを示す図である。
【符号の説明】
１　フィルム原稿
５　第１光源
６　第２光源
８　絞り板
８ａ　スリット（第１開口部）
８ｂ　スリット（第２開口部）
９　撮像レンズ
１０　ＣＣＤラインセンサ（第１センサ）
１１　ＣＣＤラインセンサ（第２センサ）
５３　画像処理回路
【図１】
2004112185.tif 000003
【図２】
2004112185.tif 000004
【図３】
2004112185.tif 000005
【図４】
2004112185.tif 000006